(57)【特許請求の範囲】
【請求項１】
（ｉ）織物で構成された人造血管Ａと；（ｉｉ）ワイヤーで構成されて縫合糸により前記人造血管Ａの内面に固定される本体Ｂ１と、ワイヤーで構成されて、膨張時に先端に行くにつれ徐々に外径が増加するラッパ管状に人造血管Ａの外に突出している上部Ｔを有する上部円筒形ステントＢと；（ｉｉｉ）ワイヤーで構成されて縫合糸により前記人造血管Ａの内面に固定され、互いに分離した複数の繰り返しユニットからなる中間及び下部円筒形ステントＣを含む血管用ステントにおいて、
前記中間及び下部円筒形ステントＣを構成する繰り返しユニットの単位構造は、菱形セルを形成することを特徴とし、上部円筒形ステントＢの上部Ｔと中間及び下部円筒形ステントＣを構成するワイヤーの各々は、２本のワイヤーがねじれあった構造であり、上部円筒形ステントＢの本体Ｂ１を構成するワイヤーは、１本のワイヤーからなることを特徴とする血管用ステント。
【請求項２】
（ｉ）織物で構成された人造血管Ａと；（ｉｉ）ワイヤーで構成されて縫合糸により前記人造血管Ａの内面に固定される本体Ｂ１と、ワイヤーで構成されて、膨張時に先端に行くにつれ徐々に外径が増加するラッパ管状に人造血管Ａの外に突出している上部Ｔを有する上部円筒形ステントＢと；（ｉｉｉ）ワイヤーで構成されて縫合糸により前記人造血管Ａの内面に固定され、互いに分離した複数の繰り返しユニットからなる中間及び下部円筒形ステントＣを含む血管用ステントにおいて、
前記中間及び下部円筒形ステントＣを構成する繰り返しユニットの単位構造は、菱形セルを形成することを特徴とし、上部円筒形ステントＢの上部Ｔと中間及び下部円筒形ステントＣを構成するワイヤーの各々は、２本のワイヤーがねじれあった構造であり、上部円筒形ステントＢの本体Ｂ１は、菱形を形成する単位構造を有する繰り返しユニットで構成され、血管用ステントの円周方向に沿って形成された上部円筒形ステントＢの本体Ｂ１の繰り返しユニットにおける菱形セルの数は、血管用ステントの円周方向に沿って形成された中間及び下部円筒形ステントＣの繰り返しユニットにおける菱形セルの数より多いことを特徴とする血管用ステント。
【請求項３】
血管用ステントの円周方向に沿って形成された上部円筒形ステントＢの本体Ｂ１の繰り返しユニットにおける菱形セルの数は、１２〜１６個であることを特徴とする請求項２に記載の血管用ステント。
【請求項４】
血管用ステントの円周方向に沿って形成された中間及び下部円筒形ステントＣの繰り返しユニットにおける菱形セルの数は、５〜１０個であることを特徴とする請求項２に記載の血管用ステント。
【発明の詳細な説明】
【技術分野】
【０００１】
本発明は血管用ステントに関するもので、より詳細には血管を通過する血液が血管壁と血管内に設けられた血管用ステントの先端部または末端部との間の空間に漏出する現象を効果的に防止し、手術も容易に行う血管用ステントに関するものである。
【背景技術】
【０００２】
血管用ステントは織物で構成された人造血管（グラフト）と、ワイヤーで構成されて長手方向の軸を有する円筒形ステントからなり、血管壁細胞が損傷して血管を通過する血液が血管外の周辺に漏出する現象を治療するために使用する。
【０００３】
従来に幅広く使用する血管用ステントとしては、織物で構成された人造血管（グラフト）からなり、ワイヤーで構成されて長手方向の軸を有する円筒形ステントの全ての部分が縫合糸により人造血管の外面に一体に固定されるものがある。換言すれば、そのような血管用ステントは人造血管（グラフト）の外部に円筒形ステント全体が挿設された構造を有する。
【０００４】
しかし、前述した従来の血管用ステントは血管内で手術する際、血管壁と血管内に設けられた血管用ステントの先端部または末端部との間の空間に血管を通過する血液が漏出する現象が発生する問題がある。
【０００５】
また、他の従来の血管用ステントとしては、織物で構成された人造血管（グラフト）からなり、ワイヤーで構成されて長手方向の軸を有する円筒形ステントの全ての部分が縫合糸により人造血管の内面に一体に固定されるものがある。換言すれば、そのような血管用ステントは人造血管（グラフト）の内部に円筒形ステント全体が挿設された構造を有する。
【０００６】
しかし、前述した従来の血管用ステントは血管内に血管用ステントを挿入する手術の際、ガイドワイヤーが人造血管の内部に挿入された円筒形ステントに引っかかる現象が発生して手術が不便な問題点がある。
【０００７】
もう一つの従来の血管用ステントが図５に図示されており、これは特許文献１に開示されているものである。この従来の血管用ステントは（ｉ）織物で構成された人造血管Ａと、（ｉｉ）ワイヤーで構成されて互いに分離した上段円筒形ステントＤ１、中間円筒形ステントＤ２及び下段円筒形ステントＤ３からなる。上段円筒形ステントＤ１と下段円筒形ステントＤ３は縫合糸により人造血管Ａの内面に一体に固定され、中間円筒形ステントＤ２は縫合糸により人造血管Ａの外面に固定される。上段円筒形ステントＤ１の上部Ｔは徐々に外径が増加するラッパ管状に人造血管Ａの外に突出しており、中間円筒形ステントＤ２と下段円筒形ステントＤ３は図６に示したように、頂部Ｐと谷部Ｖが交互に繰り返されるジグザグ形ワイヤーが互いに分離した状態で繰り返される単位構造になっている。
【０００８】
図５は従来の血管用ステントの写真であり、図６は図５に示した血管用ステントを構成する中間円筒形ステントＤ２及び下部円筒形ステントＤ３の単位構造を示す部分拡大図である。
【０００９】
従来の血管用ステントは血管内に血管用ステントを挿入する手術の際、ガイドワイヤーが円筒形ステントに引っかかれて手術が難しくなることを効果的に予防する効果がある。しかし、中間円筒形ステントＤ２及び下部円筒形ステントＤ３が図６に示したように、前述したジグザグ形ワイヤーで構成されているため、血管内に挿入した後の自体膨脹性が弱いという問題がある。したがってバルーン器具などを使用して外力によりこれを膨脹しなければならない。
【００１０】
前述したように血管内に挿入した血管用ステントを外力により膨脹させる場合には手術が複雑であり、手術中にバルーン器具が血液の循環を一時的に防止して患者の心臓に過度な負荷を与えるか、または血管が破損する恐れがある。また、血圧によりバルーン器具が血管下に移動する時に血管用ステントも共に血管下方に移動して、血管内の所要の位置に血管用ステントを正確に挿入することが難しい問題がある。
【先行技術文献】
【特許文献】
【００１１】
【特許文献１】韓国特許出願第２００８−３３４２１号
【発明の概要】
【発明が解決しようとする課題】
【００１２】
したがって、このような従来の問題点を解決するためになされた本発明は、自体膨脹性に優れ、血管を通過する血液が血管壁と血管内に手術を行った血管用ステントの先端部と末端部との間の空間に漏出すれる現象を効果的に防止し、バルーン器具を使用して血液用ステントを外力により膨脹させる手術過程を省略でき、患者の安全を図り、血管の所要の位置に設けることが容易である血液用ステントを提供することにその目的がある。
【課題を解決するための手段】
【００１３】
前述した目的を達成するために、本発明に係る血管用ステントは、（ｉ）織物で構成された人造血管Ａと；（ｉｉ）ワイヤーで構成されて縫合糸により前記人造血管の内面に固定される本体Ｂ１と、ワイヤーで構成されて先端に行くほど徐々に外径が増加するラッパ管状に人造血管Ａの外に突出している上部Ｔを有する上部円筒形ステントＢと；（ｉｉｉ）ワイヤーで構成されて縫合糸により前記人造血管Ａの内面に固定され、互いに分離した複数の繰り返しユニットからなる中間及び下部円筒形ステントＣを含む血管用ステントにおいて、前記中間及び下部円筒形ステントＣを構成する繰り返しユニットの単位構造は、菱形セルを形成することを特徴とする。
【００１４】
好ましくは、上部円筒形ステントＢの上部Ｔと中間及び下部円筒形ステントＣを構成するワイヤーの各々は、２本のワイヤーがねじれあった構造である。
【００１５】
血管用ステントにおいて、上部円筒形ステントＢの本体Ｂ１を構成するワイヤーは、１本のワイヤーからなる。
【００１６】
血管用ステントにおいて、上部円筒形ステントＢの本体Ｂ１は、菱形を形成する単位構造を有する繰り返しユニットで構成される。
【００１７】
好ましくは、血管用ステントの円周方向に沿って形成された上部円筒形ステントＢの本体Ｂ１の繰り返しユニットにおける菱形セルの数は、血管用ステントの円周方向に沿って形成された中間及び下部円筒形ステントＣの繰り返しユニットにおける菱形セルの数より多い。
【００１８】
好ましくは、血管用ステントの円周方向に沿って形成された上部円筒形ステントＢの本体Ｂ１の繰り返しユニットにおける菱形セルの数は、１２〜１６個である。
【００１９】
好ましくは、血管用ステントの円周方向に沿って形成された中間及び下部円筒形ステントＣの繰り返しユニットにおける菱形セルの数は、５〜１０個である。
【発明の効果】
【００２０】
本発明は血管を通過する血液が血管壁と血管内に設けられた血管用ステントの先端部と末端部との間の空間に漏出することを効果的に防止し、自体膨脹性に優れ、血管内に血管用ステントを挿入する手術時人体に挿入した血管用ステントを別のバルーンのような器具を使用して外力により膨脹させる手順を省略できる。したがって、手術が簡素化され、外力により血管用ステントを膨脹させる時、血液循環の一時的な不均一により患者の心臓に負担を与えたり血管が破損する現象と、血圧により血管用ステントが挿入位置より下に下降する現象を効果的に防止できる。
【図面の簡単な説明】
【００２１】
本発明の好ましい実施例におけるこれらおよび他の目的、特徴、態様および利点は以下の詳細な説明によって明らかになり、添付の図面を参照しながら考慮されたい。図面は：
【図１】本発明に係る血管用ステントの写真である。
【図２】本発明の血管用ステントを構成する中間及び下部円筒形ステントＣと上部円筒形ステント上部Ｔの単位構造を示す部分拡大図である。
【図３】本発明の血管用ステントを構成する上部円筒形ステントＢの本体Ｂ１の単位構造を示す部分拡大図である。
【図４】本発明の血管用ステントを構成する人造血管Ａの斜視図である。
【図５】従来の血管用ステントの一例を示す写真である。
【図６】図５に示した従来の血管用ステントを構成する中間円筒形ステントＤ２及び下部円筒形ステントＤ３の単位構造を示す部分拡大図である。
【発明を実施するための形態】
【００２２】
以下、添付した図面を参照して本発明を詳細に説明する。
【００２３】
図１は本発明に係る血管用ステントの写真である。
【００２４】
本発明に係る血管用ステントにおいて、上部円筒形ステントＢと中間及び下部円筒形ステントＣは縫合糸により人造血管Ａの内面に一体に固定される。
【００２５】
また、上部円筒形ステントＢの上部Ｔは徐々に外径が増加するラッパ管状に人造血管Ａの外に突出する。
【００２６】
図４に示したように、人造血管Ａは長手方向の軸を有する円筒形であり、織物で構成される。
【００２７】
人造血管Ａは血液通過のために穿孔した１個以上、好ましくは１〜５個のホールを有することができる。
【００２８】
血液通過のために穿孔したホールを有する人造血管Ａを含む本発明の血管用ステントは分岐した血管の治療に有用である。
【００２９】
図４は本発明の血管用ステントを構成する人造血管Ａの斜視図である。
【００３０】
一方、上部円筒形ステントＢの上部Ｔと中間及び下部円筒形ステントＣの各々は、図２に示したようにワイヤーＷ１及びＷ２が菱形セルを形成する単位構造を有する繰り返しユニットで構成され、ワイヤーＷ１及びＷ２は２本のワイヤーがねじれあった構造を有する。
【００３１】
上部円筒形ステントＢの上部Ｔを構成する前述した繰り返しユニットは互いに連結されて一体に形成され、中間及び下部円筒形ステントＣを形成する前述した繰り返しユニットは血管用ステントの長手方向に沿って互いに分離した状態で一定の間隔を維持しながら配列されている。
【００３２】
図２は本発明の血管用ステントを構成する中間及び下部円筒形ステントＣと上部円筒形ステントＢの上部Ｔを構成する単位構造を示す部分拡大図である。
【００３３】
一方、上部円筒形ステントＢの本体Ｂ１は図３に示したようにワイヤーＷ３及びＷ４が菱形セルを形成する単位構造を有する繰り返しユニットで構成され、ワイヤーＷ３及びＷ４の各々は１本のワイヤーで構成される。
【００３４】
図３は本発明の血管用ステントを構成する上部円筒形ステントＢの本体Ｂ１の単位構造を示す部分拡大図である。
【００３５】
血管用ステントの円周方向に沿って形成された上部円筒形ステントＢの本体Ｂ１の繰り返しユニットにおける菱形セルの数は、血管用ステントの円周方向に沿って形成された中間及び下部円筒形ステントＣの繰り返しユニットにおける菱形セルの数より多いことが好ましい。なぜなら、自体膨脹性を維持しながら血管と血管用ステントとの間の空間に血液が漏出することを防止するためである。
【００３６】
具体的に、血管用ステントの円周方向に沿って形成された上部円筒形ステントＢの本体Ｂ１の繰り返しユニットにおける菱形セルの数は１２〜１６個で、血管用ステントの円周方向に沿って形成された中間及び下部円筒形ステントＣの繰り返しユニットにおける菱形セルの数は５〜１０個であることがより一層好ましい。
【００３７】
上部円筒形ステントの上部Ｔには固定用環が形成されていて、血管用ステントを容易に血管壁に固定させることができる。
【００３８】
以上で説明したように、本発明に係る血管用ステントは、中間及び下部円筒形ステントＣにおいて、ワイヤーＷ１及びＷ２が互いに交差しながら菱形セルを形成すると共に、このワイヤーＷ１及びＷ２は２本のワイヤーがねじれあった構造であるので、自体膨脹性に優れる。したがって、バルーン器具などを使用して血管内に挿入された血管用ステントを外力により膨脹させる手順を省略できる。
【００３９】
その結果、手術が簡単であり、手術中に患者の心臓に｛ふたん｝負担をかけたり血管を破損することを効果的に防止でき、血管内の所要の位置に血管用ステントを正確に配置できる長所がある。
【００４０】
また、本発明に係る血管用ステントにおいて、上部円筒形ステントＢの本体Ｂ１はワイヤーＷ１及びＷ４が互いに交差しながら、血管用ステントの円周方向に沿って菱形セルの数が中間及び下部円筒形ステントＣ内の菱形セルの数より多く形成されている構造であるので、血管と血管用ステントとの間に血液が漏出することをより効果的に防ぐ長所がある。
【産業上の利用可能性】
【００４１】
本発明は血管を通過する血液が血管壁と血管内に設けられた血管用ステントの先端部と末端部との間の空間に漏出することを効果的に防止し、自体膨脹性に優れ、血管内に血管用ステントを挿入する手術時人体に挿入した血管用ステントを別のバルーンのような器具を使用して外力により膨脹させる手順を省略できる。したがって、手術が簡素化され、外力により血管用ステントを膨脹させる時、血液循環の一時的な不均一により患者の心臓に負担を与えたり血管が破損する現象と、血圧により血管用ステントが挿入位置より下に下降する現象を効果的に防止できる。従って、本発明の産業利用性はきわめて高いものといえる。
【００４２】
一方、本明細書内で本発明をいくつかの好ましい実施形態によって記述したが、当業者ならば、多くの変形及び修正がなされ得ることがわかるはずである。したがって、本発明の真の技術的範囲は添付の請求項によって定義されるべきである。
【符号の説明】
【００４３】
Ａ  人造血管（グラフト）
Ｂ  上段円筒形ステント
Ｂ１  上段円筒形ステントの本体
Ｃ  中間及び下段円筒形ステント
Ｓ  固定ワイヤー
Ｔ  上段円筒形ステントの上部
Ｖ  ワイヤー谷部
Ｗ１〜Ｗ７  ステントを構成するワイヤー
【図１】
0005601323.tif 000002
【図２】
0005601323.tif 000003
【図３】
0005601323.tif 000004
【図４】
0005601323.tif 000005
【図５】
0005601323.tif 000006
【図６】
0005601323.tif 000007